(57)【要約】【課題】設定項目の親子関係を視覚的に認識できるようにした指示装置、画像形成装置及びプログラムを提供する。【解決手段】指示装置は、操作画面１１上での選択操作を受け付ける受付手段２２と、操作画面１１に「コピー」の設定項目１０１が割り当てられた親ボタン１２０を表示するとともに、「コピー」の設定項目１０１に属する「白黒」の設定項目１１１ａ等が割り当てられた子ボタン１２１を親ボタン１２０上に重畳し、又は接するように表示する表示制御手段２１と、受付手段２２が操作画面１１に表示されている親ボタン１２０又は子ボタン１２１への選択操作を受け付けたとき、選択された親ボタン１２０又は子ボタン１２１に割り当てられた「コピー」の設定項目１０１及び「白黒」の設定項目１１１ａに基づく処理の実行を指示する指示手段とを備える。【選択図】図２
2015005817.tif 000002
【特許請求の範囲】
【請求項１】
操作画面上での選択操作を受け付ける受付手段と、
前記操作画面に第１の設定項目が割り当てられた第１の操作部を表示するとともに、前記第１の設定項目に属する第２の設定項目が割り当てられた第２の操作部を前記第１の操作部上に重畳、又は接するように表示する表示制御手段と、
前記受付手段が前記操作画面に表示されている前記第２の操作部への選択操作を受け付けたとき、選択された前記第２の操作部に割り当てられた前記第２の設定項目に基づく処理の実行を指示する指示手段と、
を備えた指示装置。
【請求項２】
前記表示制御手段は、前記第１の設定項目としてコピー、スキャン、プリント、ファックス等の機能が割り当てられた複数の第１の操作部を前記操作画面に表示する、
請求項１に記載の指示装置。
【請求項３】
第１及び第２の設定項目は、木構造を有する項目から選択されたものであり、
前記第１の設定項目は、前記第２の設定項目よりも前記木構造の上位に位置する項目から選択されたものである、
請求項１又は２に記載の指示装置。
【請求項４】
前記第１の操作部に対応する前記第２の操作部を生成する選択操作があったとき、前記操作画面に前記第２の操作部を表示するための領域が存在するか否かを判断し、存在すると判断したとき、前記第２の操作部を生成して前記操作画面に追加する生成手段をさらに備えた、
請求項１から３のいずれか１項に記載の指示装置。
【請求項５】
請求項１から４のいずれか１項に記載の指示装置を備えた画像形成装置。
【請求項６】
操作画面上での選択操作を受け付ける受付ステップと、
前記操作画面に第１の設定項目が割り当てられた第１の操作部を表示するとともに、前記第１の設定項目に属する第２の設定項目が割り当てられた第２の操作部を前記第１の操作部上に重畳、又は接するように表示する表示制御ステップと、
前記受付ステップが前記操作画面に表示されている前記第２の操作部への選択操作を受け付けたとき、選択された前記第２の操作部に割り当てられた前記第２の設定項目に基づく処理の実行を指示する指示ステップと、
をコンピュータに実行させるためのプログラム。
【発明の詳細な説明】
【技術分野】
【０００１】
本発明は、指示装置、画像形成装置及びプログラムに関する。
【背景技術】
【０００２】
画像形成装置に用いられる表示装置は、一般的に表示領域が小さい。このため、いくつかの画面を経由する印刷設定の指定方法では、印刷設定の操作が煩雑になることから、操作性の向上を図った表示装置、画像形成装置等が提案されている（例えば、特許文献１、２、３参照。）
【０００３】
特許文献１に記載の表示装置は、印刷設定の方法にジェスチャーを用いることにより、印刷設定等の画像処理装置に対する操作をより直感的なものとしている。
【０００４】
特許文献２に記載の画像形成装置は、莫大な数になった機能リスト画面に表示する機能選択キーのレイアウト、機能リスト画面の画面数をユーザの好みや熟練度に応じて切り替えることで機能リスト画面の最初の画面に表示する機能選択キーの設定を可能としている。
【０００５】
特許文献３に記載の表示装置は、入力可能な文字、記号を絞り込むために並べられた複数の第１のキーと、第１のキーの操作により表示されて入力可能な文字をさらに絞り込むために並べられた第２のキーとの表示を切り替えることにより、タッチパネル部に表示される第１及び第２の入力キーを大きく表示でき、タッチパネル部において所望の入力キーと隣り合うキーとを間違って押してしまうことが抑制でき、キー入力操作を容易にしている。
【先行技術文献】
【特許文献】
【０００６】
【特許文献１】特開２０１１−１３８２３７号公報
【特許文献２】特開２００９−１４５９０３号公報
【特許文献３】特開２０１１−１１３２５６号公報
【発明の概要】
【発明が解決しようとする課題】
【０００７】
本発明の目的は、設定項目の親子関係を視覚的に認識できるようにした指示装置、画像形成装置及びプログラムを提供することである。
【課題を解決するための手段】
【０００８】
本発明の一態様として、以下の表示装置、画像形成装置及びプログラムを提供する。
［１］操作画面上での選択操作を受け付ける受付手段と、
前記操作画面に第１の設定項目が割り当てられた第１の操作部を表示するとともに、前記第１の設定項目に属する第２の設定項目が割り当てられた第２の操作部を前記第１の操作部上に重畳、又は接するように表示する表示制御手段と、
前記受付手段が前記操作画面に表示されている前記第２の操作部への選択操作を受け付けたとき、選択された前記第２の操作部に割り当てられた前記第２の設定項目に基づく処理の実行を指示する指示手段と、
を備えた指示装置。
［２］前記表示制御手段は、前記第１の設定項目としてコピー、スキャン、プリント、ファックス等の機能が割り当てられた複数の第１の操作部を前記操作画面に表示する、
前記［１］に記載の指示装置。
［３］第１及び第２の設定項目は、木構造を有する項目から選択されたものであり、
前記第１の設定項目は、前記第２の設定項目よりも前記木構造の上位に位置する項目から選択されたものである、
前記［１］又は［２］に記載の指示装置。
［４］前記第１の操作部に対応する前記第２の操作部を生成する選択操作があったとき、前記操作画面に前記第２の操作部を表示するための領域が存在するか否かを判断し、存在すると判断したとき、前記第２の操作部を生成して前記操作画面に追加する生成手段をさらに備えた、
前記［１］から［３］のいずれかに記載の指示装置
【０００９】
［５］前記［１］から［４］のいずれかに記載の指示装置を備えた画像形成装置。
【００１０】
［６］操作画面上での選択操作を受け付ける受付ステップと、
前記操作画面に第１の設定項目が割り当てられた第１の操作部を表示するとともに、前記第１の設定項目に属する第２の設定項目が割り当てられた第２の操作部を前記第１の操作部上に重畳、又は接するように表示する表示制御ステップと、
前記受付ステップが前記操作画面に表示されている前記第２の操作部への選択操作を受け付けたとき、選択された前記第２の操作部に割り当てられた前記第２の設定項目に基づく処理の実行を指示する指示ステップと、
をコンピュータに実行させるためのプログラム。
【発明の効果】
【００１１】
請求項１、５、６に係る発明によれば、設定項目の親子関係を視覚的に認識できる。
【００１２】
請求項２に係る発明によれば、コピー、スキャン、プリント又はファックス等に属する設定項目を第２の設定項目に割り当てることができる。
【００１３】
請求項３に係る発明によれば、印刷設定に関する木構造を有する項目を第１及び第２の操作部に割り当てることができる。
【００１４】
請求項４に係る発明によれば、第１の操作部に対応する第２の操作部を操作画面に追加することができる。
【図面の簡単な説明】
【００１５】
【図１】図１は、本発明の第１の実施の形態に係る画像形成装置の一例を示すブロック図である。
【図２】図２は、操作表示部に表示される操作画面の一例を示す図であり。
【図３】図３は、親ボタン及び子ボタンに割り当てられる設定項目の一例を示す図であり、（ａ）〜（ｃ）は、それぞれ親ボタンに「コピー」、「スキャン」、「ファックス」の設定項目が割り当てられた場合を示し、（ｄ）は、例えば画像形成装置が「プリント」の機能のみを有する場合を示す図である。
【図４】図４は、操作画面に子ボタンを追加する処理の一例を示すフローチャートである。
【図５】図５は、本発明の第２の実施の形態に係る印刷システムの一例を示すブロック図である。
【図６】図６は、本発明の変形例１に係る操作画面の一例を示す図である。
【図７】図７は、本発明の変形例２に係る操作画面の一例を示す図である。
【発明を実施するための形態】
【００１６】
以下、本発明の実施の形態について図面を参照して説明する。なお、各図中、実質的に同一の機能を有する構成要素については、同一の符号を付してその重複した説明を省略する。
【００１７】
［第１の実施の形態］
図１は、本発明の第１の実施の形態に係る画像形成装置の一例を示すブロック図である。
【００１８】
この画像形成装置１は、例えば、コピー、スキャン、プリント、ファックス等の複数の機能（処理ともいう。）を実行することができる複合機であり、画像形成装置１の各部を制御する指示装置の一例としての制御部２０を有し、この制御部２０に、操作表示部１０、画像読取部３０、画像処理部４０、画像出力部５０及びファクシミリ部６０、通信部７０及び記憶部８０が接続されている。
【００１９】
操作表示部１０は、液晶ディスプレイ等の表示部にタッチパネルが重合配置されたタッチパネルディスプレイを有し、操作画面を表示部に表示するとともに、操作者からタッチパネルへの選択操作を受け付ける。ここで、「操作画面上での選択操作」とは、操作画面上に表示された項目を操作画面上で選択する動作いい、操作者の指や、タッチペン等を操作画面に接触させて行う操作、及び操作者の指等を操作画面に近接させて非接触で行う動作を含む。
【００２０】
画像読取部３０は、例えばスキャナにより構成され、原稿から画像データを読み取って入力する。画像処理部４０は、画像読取部３０等から入力した画像データの圧縮、伸張、合成等の画像処理を行う。画像出力部５０は、例えば感光体による画像保持体を有し、用紙等の記憶媒体に画像を形成して出力する。
【００２１】
ファクシミリ部６０は、Ｇ３、Ｇ４等のファクシミリプロトコルに従ってデータの変復調を行い、電話回線を介してファクシミリ通信を行う。通信部７０は、ＴＣＰ／ＩＰ等の通信プロトコルに従ってデータの送受信等のネットワークに関する制御を行い、ネットワーク回線を介してデータの送受信を行う。ネットワーク回線は、例えば、有線、無線で接続されたローカルエリアネットワーク（ＬＡＮ:Local Area Network）、イントラネット等の内部ネットワークである。
【００２２】
記憶部８０は、実行プログラム８１及び設定データ８２等を記憶する。設定データ８２には、設定項目が有する木構造の情報、操作画面上の各ボタンの配置の情報、操作画面上の各ボタンの識別情報、親ボタン及び子ボタンに割り当てられた設定項目の情報等が格納されている。
【００２３】
制御部２０は、ＣＰＵ、インターフェイス等から構成されている。ＣＰＵは、記憶部８０に記憶された実行プログラム８１に従って動作することにより、表示制御手段２１、受付手段２２、生成手段２３、指示手段２４、実行手段２５等として機能する。
【００２４】
表示制御手段２１は、親ボタン、子ボタン等の画像情報を操作者の操作や画像形成装置１の状態に応じて操作表示部１０の操作画面に表示する。親ボタン、子ボタン及び操作画面の詳細については、後述する。
【００２５】
ここで、「親ボタン」とは、子ボタンよりも上位の設定項目が割り当てられたボタンをいう。「子ボタン」とは、親ボタンよりも下位の設定項目が割り当てられたボタンをいう。また、「親子関係」とは、その設定項目に対して設定項目に属する下位の設定項目が子ボタンに割り当てられるという設定項目上の関係、及び操作画面に親ボタンと重畳又は接して子ボタンが配置されるという表示上の関係をいう。「設定項目」とは、コピー、スキャン、プリント、ファックス等の各種の機能の実行に必要な設定のための項目をいい、機能も含まれる。
【００２６】
受付手段２２は、操作表示部１０の操作画面への指等の接触又は非接触による選択操作を受け付ける。
【００２７】
生成手段２３は、操作画面に表示された後述する「表示設定」ボタンの選択操作があったと判断したとき、子ボタンのサイズ、位置、及び子ボタンに割り当てる設定項目の情報を記憶部８０の設定データ８２に記憶して子ボタンを生成し、操作画面に追加する。
【００２８】
指示手段２４は、受付手段２２が受け付けた設定項目に基づく処理の実行を実行手段２５に指示する。
【００２９】
実行手段２５は、指示手段２４からの指示による処理を画像読取部３０、画像処理部４０、画像出力部５０、ファクシミリ部６０及び通信部７０を制御して実行する。
【００３０】
なお、表示制御手段２１、受付手段２２、生成手段２３、指示手段２４又は実行手段２５は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００３１】
（操作画面）
次に、操作表示部１０の操作画面について説明する。図２は、操作表示部２に表示される操作画面の一例を示す図である。
【００３２】
操作表示部１０の操作画面１１は、第１の操作部の一例としての親ボタン１２０と、第２の操作部の一例としての子ボタン１２１とが表示される指示ボタン領域１２と、画像形成装置１の設定や操作者毎の設定等を行うための設定ボタン１３０が表示される設定ボタン領域１３と、操作者の氏名等が表示されるアカウント表示領域１４とを有する。親ボタン１２０には、「コピー」ボタン１２０ａ、「スキャン」ボタン１２０ｂ、「プリント」ボタン１２０ｃ、「ファックス」ボタン１２０ｄ等がある。子ボタン１２１には、「白黒／片面」ボタン１２１ａ、「カラー」ボタン１２１ｂ、「片面」ボタン１２１ｃ、「宛先」ボタン１２１ｄ等がある。
【００３３】
指示ボタン領域１２には、複数の親ボタン１２０が一定の間隔を有して配置される。各親ボタン１２０上には、親ボタン１２０に対して設定された子ボタン１２１が重畳するように配置される。なお、１つの親ボタン１２０に対して複数の子ボタン１２１が設定されている場合には、その１つの親ボタン１２０上に複数の子ボタン１２１が重畳するように配置される。なお、子ボタン１２１は、親ボタン１２０と接するように配置してもよい。
【００３４】
設定ボタン領域１３には、画像形成装置１の通信設定等を行う「デバイス設定」ボタン１３１、ユーザのパスワードの変更や画像データの保存場所の設定を行う「ユーザ設定」ボタン１３２、子ボタン１２１を指示ボタン領域１２に追加する「表示設定」ボタン１３３等が配置される。
【００３５】
表示制御手段２１は、親ボタン１２０の縦方向又は横方向のサイズが子ボタン１２１の縦方向又は横方向のサイズの２倍以上になるように調整して親ボタン１２０及び子ボタン１２１を指示ボタン領域１２に表示する。
【００３６】
表示制御手段２１は、親ボタン１２０に対して選択操作があったとき、親ボタン１２０に割り当てられた設定項目に属する下位の設定項目からなる図示しない項目選択画面を操作画面１１に表示する。なお、子ボタン１２１に選択操作があったときにも子ボタン１２１に割り当てられた設定項目に属する下位の設定項目が存在する場合には、その下位の設定項目からなる項目選択画面を操作画面１１に表示させてもよい。
【００３７】
また、表示制御手段２１は、例えば、表示設定ボタン１３３に選択操作があったとき、図示しない装置設定画面、表示設定画面等を指示ボタン領域１２又は設定ボタン領域１３に表示し、親ボタン１２０及び子ボタン１２１のサイズの変更、親ボタン１２０及び子ボタン１２１に割り当てる設定項目の変更、子ボタン１２１の指示ボタン領域１２への追加等の設定変更を行う。
【００３８】
（親ボタン及び子ボタンに割り当てられる設定項目）
次に、親ボタン１２０及び子ボタン１２１に割り当てられる設定項目について説明する。図３は、親ボタン及び子ボタンに割り当てられる設定項目の一例を示す図であり、（ａ）〜（ｃ）は、それぞれ親ボタンに「コピー」、「スキャン」、「ファックス」の設定項目が割り当てられた場合を示し、（ｄ）は、例えば画像形成装置が「プリント」の機能のみを有する場合を示す図である。
【００３９】
親ボタン１２０及び子ボタン１２１に割り当てられる設定項目は、親ボタン１２０に割り当てる設定項目を上位、子ボタン１２１に割り当てる設定項目を下位とする木構造を有する項目から選択される。
【００４０】
例えば、図３（ａ）に示すように、親ボタン１２０に「コピー」の設定項目１０１が割り当てられている場合、子ボタン１２１は、「コピー」の設定項目１０１に属する白黒コピーを設定する「白黒」の設定項目１１１ａ、カラーコピーを設定する「カラー」の設定項目１１２ａ等の色設定の設定項目や用紙の片面に印刷することを設定する「片面」の設定項目１１３ａ、１１３ｂ、用紙の両面に印刷することを設定する「両面」の設定項目１１４ａ、１１４ｂ等の印刷設定の設定項目を選択して割り当てることができる。なお、「白黒」の設定項目１１１ａに属する「片面」の設定項目１１３ａが子ボタン１２１に設定された場合は、当該子ボタン１２１に「コピー」／「白黒」／「片面」が設定されたこととしてもよい。
【００４１】
図３（ｂ）に示すように、親ボタン１２０に「スキャン」の設定項目１０２が割り当てられている場合も「コピー」の設定項目１０１が割り当てられている場合と同様に、子ボタン１２１には、各設定項目１１１ｂ、１１２ｂ、１１３ｃ、１１３ｄ、１１４ｃ、１１４ｄが割り当てられる。
【００４２】
図３（ｃ）に示すように、親ボタン１２０に「ファックス」の設定項目１０３が割り当てられている場合には、子ボタン１２１には、ファックスを送信する宛先ごとに「宛先１」の設定項目１１５、「宛先２」の設定項目１１６、「宛先３」の設定項目１１７・・・のいずれかの設定項目が割り当てられる。
【００４３】
なお、画像形成装置１が例えば「プリント」のみの機能を有する場合、図３（ｄ）に示すように、親ボタン１２０に「白黒」の設定項目１１１ｃや「カラー」の設定項目１１２ｃ等の設定項目を割り当て、子ボタン１２１に「片面」の設定項目１１３ｅ、１１３ｆや「両面」の設定項目１１４ｅ、１１４ｆ等の設定項目を割り当ててもよい。
【００４４】
ここで、「コピー」の設定項目１０１、「スキャン」の設定項目１０２及び「ファックス」の設定項目１０３の各設定項目は、第１の設定項目の一例であり、子ボタン１２１に割り当てられる各設定項目１１１ａ〜１１１ｃ、１１２ａ〜１１２ｃ、１１３ａ〜１１３ｅ、１１４ａ〜１１４ｆ、１１５、１１６、１１７は、第２の設定項目の一例である。
【００４５】
（第１の実施の形態の動作）
次に、画像形成装置１の動作について説明する。
【００４６】
（１）親ボタンが選択された場合
操作者が操作表示部１０の操作画面１１に表示されている親ボタン１２０のうち例えば、「コピー」ボタン１２０ａに指等を接触させて選択すると、受付手段２２は、「コピー」ボタン１２０ａに対する選択操作を受け付け、記憶部８０が記憶する設定データ８２から「コピー」ボタン１２０ａに割り当てられている「コピー」の設定項目を取得する。
【００４７】
次に、表示制御手段２１は、「コピー」の設定項目の下位にある「白黒」の設定項目及び「カラー」の設定項目からなる図示しない項目選択画面を操作画面１１に表示する。
【００４８】
操作者が操作画面１１に表示された項目選択画面から「白黒」の設定項目又は「カラー」の設定項目を選択する。表示制御手段２１は、「片面」の設定項目及び「両面」の設定項目からなる図示しない項目選択画面を操作画面１１に表示する。例えば、操作者が「白黒」及び「両面」の設定項目を選択し、図示しない「スタート」ボタンを押下げして「コピー」の処理を開始させると、指示手段２４は、選択された「白黒」及び「両面」の設定に基づく「コピー」の処理を実行するように実行手段２５に指示する。
【００４９】
次に、実行手段２５は、指示手段２４からの指示に基づいて「コピー」の処理を選択された設定項目（「白黒」／「両面」）の設定で実行するように画像読取部３０、画像処理部４０及び画像出力部５０を制御する。
【００５０】
次に、表示制御手段２１は、「コピー」の処理が実行中であること、「コピー」の処理が完了したこと等を操作画面１１に表示する。
【００５１】
なお、「スキャン」ボタン１２０ｂ、「プリント」ボタン１２０ｃ及び「ファックス」ボタン１２０ｄが選択された場合も「コピー」ボタン１２０ａが選択されたのと同様に選択された「スキャン」、「プリント」又は「ファックス」に属する設定項目からなる項目選択画面が表示され、項目選択画面で選択された設定項目に基づいて「スキャン」、「プリント」又は「ファックス」の処理が実行される。
【００５２】
（２）子ボタンが選択された場合
操作者が「コピー」１２０ａに重畳して表示された「白黒／片面」ボタン１２１ａを選択すると、受付手段２２は、「コピー」ボタン１２０ａに対応した「白黒／片面」１２１ａボタンの選択操作を受け付け、記憶部８０が記憶する設定データ８２から「白黒／片面」ボタン１２１ａに割り当てられた「白黒」及び「片面」の設定項目を取得する。
【００５３】
次に、指示手段２４は、受付手段２２が取得した設定項目に基づいて、「コピー」の処理を「白黒／片面」ボタン１２１ａに割り当てられた「白黒」及び「片面」の設定で実行するように実行手段２５に指示をする。
【００５４】
次に、実行手段２５は、指示手段２４からの指示に基づいて、画像読取部３０、画像処理部４０及び画像出力部５０を制御して「コピー」の処理を「白黒」及び「片面」の設定で実行する。実行手段２５の制御の下で、画像読取部３０で原稿から読み取られた画像データが画像処理部４０で画像処理が施され、画像出力部５０で用紙の片面に白黒の画像が印刷されて出力される。
【００５５】
（３）表示設定ボタンが選択された場合
図４は、子ボタン１２１を操作画面に追加する手順の一例を示すフローチャートである。
【００５６】
操作者が操作画面１１に表示された「表示設定」ボタン１３３を選択すると、受付手段２２は、表示設定ボタン１３３に対する選択操作を受け付け、表示制御手段２１は、操作画面１１の表示設定を変更するための図示しない表示設定画面を操作表示部１０に表示する。
【００５７】
操作者が表示設定画面に対して画面の表示設定を変更する操作を行うと、生成手段２３は、子ボタン１２１を操作画面１１に追加する選択操作があったか否かを判断する（Ｓ１）。生成手段２３が子ボタン１２１を追加する選択操作がないと判断した場合（Ｓ１：Ｎｏ）、子ボタン１２１を追加する処理を終了する。
【００５８】
子ボタン１２１を追加する選択操作があったと判断した場合（Ｓ１：Ｙｅｓ）、生成手段２３は、記憶部８０の設定データ８２を参照して指示ボタン領域１２の空き領域を算出し、指示ボタン領域１２に子ボタン１２１を追加する空き領域が存在するか否かを判断する（Ｓ２）。
【００５９】
生成手段２３が指示ボタン領域１２に子ボタン１２１を追加する空き領域が存在しないと判断した場合（Ｓ２：Ｎｏ）、表示制御手段２１は、指示ボタン領域１２のページを切り替える（Ｓ３）。生成手段２３は、切り替えたページの指示ボタン領域１２に子ボタン１２１を追加する空き領域が存在するか否かを判断する（Ｓ２）。
【００６０】
指示ボタン領域１２に空き領域が存在すると判断した場合（Ｓ２：Ｙｅｓ）、生成手段２３は、既に画面に表示されている親ボタン１２０のサイズ、操作画面１１における座標、及び割り当てられている設定項目を設定データ８２から読み出す。
【００６１】
次に、生成手段２３は、設定データ８２に基づいて、操作画面１１に追加する子ボタン１２１のサイズ、座標等を算出するとともに、追加する子ボタン１２１の識別情報及び子ボタン１２１に割り当てる設定項目を設定データ８２に記憶して子ボタン１２１を生成する。そして、表示制御手段２１は、生成した子ボタン１２１を対応する親ボタン１２０と重畳するように操作画面１１の指示ボタン領域１２に追加して表示する（Ｓ４）。
【００６２】
なお、上記ステップＳ２において、既に親ボタン１２０に子ボタン１２１が配置されている場合、生成手段２３は、子ボタン１２１を親ボタン１２０上にさらに追加する親ボタン１２０上の空き領域が存在するか否かを判断する。親ボタン１２０上の空き領域が存在すると判断された場合、上記ステップＳ４において、表示制御手段２１は、追加される子ボタン１２１を既に存在する子ボタン１２１と重複しないように、親ボタン１２０上に配置する。
【００６３】
［第２の実施の形態］
図５は、本発明の第２の実施の形態に係る印刷システムの一例を示すブロック図である。
【００６４】
第１の実施の形態の画像形成装置１は、操作者が画像形成装置１の操作表示部１０を操作することで画像形成装置１の動作を指示するものとしていたが、本実施の形態の印刷システム２００は、画像形成装置１Ａが複数の情報機器３００と接続し、操作者が情報機器３００の操作表示部３２０を操作することで画像形成装置１Ａの動作を指示するものである。以下、第１の実施の形態と異なる点を中心に説明する。
【００６５】
本実施の形態の印刷システム２００は、例えば、複合機で構成された画像形成装置１Ａと、画像形成装置１Ａに有線又は無線で接続された複数の情報機器３００とを有する。なお、画像形成装置１Ａに接続される情報機器３００の数は、１つでもよい。
【００６６】
情報機器３００は、例えば、パーソナルコンピューター（ＰＣ）、多機能携帯電話機（スマートフォン）又はタブレット端末等であり、情報機器３００の各部を制御する制御部３１０と、制御部３１０に接続する操作表示部３２０と、通信部３３０と、画像処理部３４０と、記憶部３５０とを備える。
【００６７】
操作表示部３２０は、液晶ディスプレイ等の表示部にタッチパネルが重合配置されたタッチパネルディスプレイを有し、例えば、図２に示す操作画面１１を表示部に表示するとともに操作者からタッチパネルへの選択操作を受け付ける。
【００６８】
通信部３３０は、画像形成装置１Ａや他の情報機器３００等との通信を行い、画像形成装置１Ａの装置状態の情報の取得や情報機器３００で変換した画像データの送信等を行う。画像処理部３４０は、画像形成装置１Ａで印刷しようとする画像データの圧縮、伸張、合成、ＰＤＬ（ページ記述言語）への変換等の画像処理を行う。
【００６９】
制御部３１０は、記憶部３５０に記憶された実行プログラム３５１に従って動作することにより、表示制御手段３１１、受付手段３１２、生成手段３１３、指示手段３１４等として機能する。
【００７０】
表示制御手段３１１は、操作画面１１に親ボタン１２０、子ボタン１２１等の画像情報を表示する。受付手段３１２は、表示制御手段３１１の操作画面１１への選択操作を受ける。
【００７１】
生成手段３１３は、操作画面１１に表示される表示設定ボタン１３３に選択操作があったと判断したとき、子ボタン１２１を生成して操作画面１１に追加する。指示手段３１４は、操作者によって選択されたボタンに割り当てられた設定項目に基づく処理の実行を画像形成装置１Ａに指示をする。
【００７２】
（第２の実施の形態の動作）
次に、印刷システム２００の動作について説明する。操作者が操作表示部３２０に表示された操作画面１１を指等で操作すると、受付手段３１２は、操作画面のどのボタンに対して選択操作があったか否かを判断する。受付手段３１２が画像形成装置１Ａを用いた印刷をする選択操作があったと判断すると、画像処理部３４０は、印刷する対象である画像データのＰＤＬへの変換を実行する。
【００７３】
次に、指示手段３１４は、通信部３３０を介して印刷を実行する旨の指示及び変換した画像データを画像形成装置１Ａに送信する。また、通信部３３０は、画像形成装置１Ａと定期的に通信を行い、画像形成装置１Ａの装置状態の情報等を取得する。
【００７４】
操作表示部３２０は、通信部３３０が取得した装置状態に基づいて画像形成装置１Ａが印刷の実行中である旨や印刷が完了した旨等を表示する。
【００７５】
［変形例］
なお、本発明は、上記実施の形態に限定されず、本発明の要旨の範囲内で種々に変形実施が可能である。
【００７６】
（変形例１）
図６は、本発明の変形例１の操作画面１１Ａを示す図である。変形例１の操作画面１１Ａは、例えば「プリント」ボタン１２０ｃを「コピー」ボタン１２０ａ、「スキャン」ボタン１２０ｂよりも大きく表示し、「プリント」ボタン１２０ｃの各辺上に複数の子ボタン１２１を配置したものである。なお、操作画面１１Ａに表示されるそれぞれの子ボタン１２１には、１又は複数の異なる設定項目が割り当てられている。
【００７７】
（変形例２）
図６は、本発明の変形例１の操作画面１１Ｂを示す図である。変形例２の操作画面１１Ｂは、例えば「プリント」ボタン１２０ｃを複数のページに固定して配置し、ページごとに「プリント」ボタン１２０ｃ上の子ボタン１２１の数又は子ボタン１２１に割り当てられる設定項目を異なるようにしたものである。
【００７８】
また、本発明の要旨を変更しない範囲内で、上記各実施の形態の構成要素の一部を省くことが可能である。
【符号の説明】
【００７９】
１、１Ａ…画像形成装置、１０…操作表示部、１１Ａ、１１Ｂ…操作画面、１２…指示ボタン領域、１３…設定ボタン領域、１４…アカウント表示領域、２０…制御部、２１…表示制御手段、２２…受付手段、２３…生成手段、２４…指示手段、２５…実行手段、３０…画像読取部、４０…画像処理部、５０…画像出力部、６０…ファクシミリ部、７０…通信部、８０…記憶部、８１…実行プログラム、８２…設定データ、１０１…「コピー」の設定項目、１０２…「スキャン」の設定項目、１０３…「ファックス」の設定項目、１１１ａ〜１１１ｃ…「白黒」の設定項目、１１２ａ〜１１２ｃ…「カラー」の設定項目、１１３ａ〜１１３ｆ…「片面」の設定項目、１１４ａ〜１１４ｆ…「両面」の設定項目、１１５…「宛先１」、１１６…「宛先２」、１１７…「宛先３」、１２０…親ボタン、１２０ａ…「コピー」ボタン、１２０ｂ…「スキャン」ボタン、１２０ｃ…「プリント」ボタン、１２０ｄ…「ファックス」ボタン、１２１…子ボタン、１２１ａ…「白黒／片面」ボタン、１２１ｂ…「カラー」ボタン、１２１ｃ…「片面」ボタン、１２１ｄ…「宛先」ボタン、１３０…設定ボタン、１３１…「デバイス設定」ボタン、１３２…「ユーザ設定」ボタン、１３３…「表示設定」ボタン、２００…印刷システム、３００…情報機器、３０２…表示部、３０３…通信部、３１０…制御部、３１１…表示制御手段、３１２…受付手段、３１３…生成手段、３１４…指示手段、３２０…操作表示部、３３０…通信部、３４０…画像処理部、３５０…記憶手段、３５１…実行プログラム
【図１】
2015005817.tif 000003
【図２】
2015005817.tif 000004
【図３】
2015005817.tif 000005
【図４】
2015005817.tif 000006
【図５】
2015005817.tif 000007
【図６】
2015005817.tif 000008
【図７】
2015005817.tif 000009